(57)【要約】【課題】回転体の回転位置を高精度に検出する。【解決手段】ロータリエンコーダ１０は、回転体に設けられた磁石２０，３０と、固定体に設けられた磁気センサ部４０，５０，６０と、磁気センサ部４０，５０，６０からの出力信号に基づいて、回転体の回転位置を算出する制御部７０とを有している。制御部７０は、回転体の回転位置の算出に関する外部からの要求信号の受信間隔を計測することで回転体の現在の回転速度を算出し、算出された現在の回転速度と基準回転速度との比率に基づいて、基準回転速度において出力信号に重畳される誤差信号成分に関するパラメータを、現在の回転速度における値に換算し、換算された値に基づいて磁気センサ部４０，５０，６０からの出力信号を補正し、補正された出力信号を用いて回転体の回転位置を算出する。【選択図】図１
2018132357.tif 000002
【特許請求の範囲】
【請求項１】
固定体に対する回転体の回転位置を検出するロータリエンコーダであって、
前記固定体および前記回転体の一方に設けられた磁石と、
前記固定体および前記回転体の他方に設けられ、前記磁石からの磁界変化を検出する磁気センサ部であって、前記磁石の着磁面に対向して配置され、前記回転体の回転に伴って正弦波状のＡ相信号を出力する第１の感磁素子と、前記磁石の着磁面に対向して配置され、前記回転体の回転に伴って前記Ａ相信号と９０°の位相差を有する正弦波状のＢ相信号を出力する第２の感磁素子と、を有する磁気センサ部と、
外部からの要求信号を受信したタイミングで、前記Ａ相信号および前記Ｂ相信号に基づいて前記回転体の回転位置を算出する制御部と、を有し、
前記制御部が、
前記回転体の回転速度に比例して前記Ａ相信号および前記Ｂ相信号のそれぞれに重畳される誤差信号成分であって基準回転速度時の前記誤差信号成分に関する複数のパラメータを記憶する記憶部と、
前記外部からの要求信号の受信間隔を計測し、該計測された受信間隔における前記回転体の回転変位量から、前記回転体の現在の回転速度を算出する回転速度算出部と、を有し、
前記制御部は、前記基準回転速度と前記回転速度算出部によって算出された前記現在の回転速度との比率に基づいて、前記記憶部に記憶されている前記複数のパラメータのうち少なくとも１つのパラメータを前記現在の回転速度における値に換算し、該換算された値に基づいて前記Ａ相信号および前記Ｂ相信号を補正する補正処理を実行し、該補正されたＡ相信号およびＢ相信号を用いて前記回転体の回転位置を算出する、ロータリエンコーダ。
【請求項２】
前記誤差信号成分が、前記回転体の回転に伴って前記磁気センサ部に発生する誘導電圧信号であり、前記複数のパラメータが、前記誘導電圧信号の振幅および位相を含む、請求項１に記載のロータリエンコーダ。
【請求項３】
前記制御部は、前記複数のパラメータのうち前記振幅のみを前記現在の回転速度に換算し、該換算された振幅と、前記記憶部に記憶されている前記位相とに基づいて、前記減少する信号成分を補償する、請求項２に記載のロータリエンコーダ。
【請求項４】
前記制御部は、前記複数のパラメータのうち前記振幅および位相の両方を前記現在の回転速度における値に換算し、該換算された振幅および位相に基づいて、前記減少する信号成分を補償する、請求項２に記載のロータリエンコーダ。
【請求項５】
前記振幅および位相は、前記基準回転速度として一定の回転速度で回転体を回転させ、前記Ａ相信号および前記Ｂ相信号からそれぞれ所定の信号成分を差し引いて前記回転体の回転速度を算出したときに、該算出された回転速度のリップルが最小になるときの前記所定の信号成分の振幅および位相である、請求項２から４のいずれか１項に記載のロータリエンコーダ。
【請求項６】
前記基準回転速度が、前記回転体に連結されたモータの瞬時最大回転速度である、請求項５に記載のロータリエンコーダ。
【請求項７】
複数の前記磁石と、複数の前記磁気センサ部と、を有し、
前記制御部は、前記複数の磁気センサ部からの複数の前記Ａ相信号および複数の前記Ｂ相信号に基づいて前記回転体の回転位置を算出し、その際に前記複数の磁気センサ部のそれぞれに対して前記補正処理を実行する、請求項１から６のいずれか１項に記載のロータリエンコーダ。
【請求項８】
前記複数の磁石が、前記回転体の周方向にＮ極とＳ極とが１極ずつ配置された第１の磁石と、前記回転体の周方向にＮ極とＳ極とが交互に複数配置された第２の磁石とを含み、
前記複数の磁気センサ部が、前記第１の磁石に対応する少なくとも１つの磁気センサ部と、前記第２の磁石に対応する磁気センサ部とを含む、請求項７に記載のロータリエンコーダ。
【請求項９】
前記各感磁素子が、磁気抵抗効果素子を有する、請求項１から８のいずれか１項に記載のロータリエンコーダ。
【発明の詳細な説明】
【技術分野】
【０００１】
本発明は、ロータリエンコーダに関し、特に磁気式のロータリエンコーダに関する。
【背景技術】
【０００２】
固定体に対する回転体の回転位置を検出する装置として、磁気抵抗効果（ＭＲ）素子やホール素子などの感磁素子を利用した磁気式のロータリエンコーダが知られている。このようなロータリエンコーダでは、回転体（磁石）の回転に伴う磁界変化により、配線や回路等に誘導電圧が発生し、その信号成分が感磁素子からの出力信号に重畳されることで検出精度が悪化するという問題があることが知られている。
【０００３】
特許文献１には、上記誘導電圧が回転体の回転速度に比例して出力信号に重畳されることを利用して、誘導電圧による誤差を補正する方法が記載されている。この方法では、特定の回転速度において誘導電圧を打ち消すための補正量が予め記憶されており、この補正量から、特定の回転速度と使用時の回転速度との比率に基づいて、使用時の回転速度において誘導電圧を打ち消すための補正値が換算されている。これにより、回転速度に比例して増加する補正値を使用時の回転速度から換算して算出することができ、回転体の回転位置を精度良く検出することができる。
【先行技術文献】
【特許文献】
【０００４】
【特許文献１】特開２０１６−９９１６４号公報
【発明の概要】
【発明が解決しようとする課題】
【０００５】
しかしながら、特許文献１に記載の補正方法では、使用時の回転速度の算出精度が十分でないことから、誘導電圧を打ち消すための補正値の算出精度も十分でなく、その結果、高い検出精度を実現することが困難である。
【０００６】
そこで、本発明の目的は、回転体の回転位置を高精度に検出するロータリエンコーダを提供することである。
【課題を解決するための手段】
【０００７】
上述した目的を達成するために、本発明のロータリエンコーダは、固定体に対する回転体の回転位置を検出するロータリエンコーダであって、固定体および回転体の一方に設けられた磁石と、固定体および回転体の他方に設けられ、磁石からの磁界変化を検出する磁気センサ部であって、磁石の着磁面に対向して配置され、回転体の回転に伴って正弦波状のＡ相信号を出力する第１の感磁素子と、磁石の着磁面に対向して配置され、回転体の回転に伴ってＡ相信号と９０°の位相差を有する正弦波状のＢ相信号を出力する第２の感磁素子と、を有する磁気センサ部と、外部からの要求信号を受信したときに、Ａ相信号およびＢ相信号に基づいて回転体の回転位置を算出する制御部と、を有し、制御部が、回転体の回転速度に比例してＡ相信号およびＢ相信号のそれぞれに重畳される誤差信号成分であって基準回転速度時の誤差信号成分に関する複数のパラメータを記憶する記憶部と、外部からの要求信号の受信間隔を計測し、計測された受信間隔における回転体の回転変位量から、回転体の現在の回転速度を算出する回転速度算出部と、を有し、制御部は、基準回転速度と回転速度算出部によって算出された現在の回転速度との比率に基づいて、記憶部に記憶されている複数のパラメータのうち少なくとも１つのパラメータを現在の回転速度における値に換算し、換算された値に基づいてＡ相信号およびＢ相信号を補正する補正処理を実行し、補正されたＡ相信号およびＢ相信号を用いて回転体の回転位置を算出する。
【０００８】
このようなロータリエンコーダによれば、回転速度に応じた誤差信号成分に関するパラメータの換算値を用いて出力信号を補正することで、回転速度によらないほぼ一定の出力信号を得ることができ、高い検出精度を維持することができる。また、制御部が実際に回転位置の算出を行う周期を計測しているため、正確な回転速度を算出することができ、出力信号の補正精度を向上させることができる。
【０００９】
本発明の一態様では、上記誤差信号成分が、回転体の回転に伴って磁気センサ部に発生する誘導電圧信号であり、上記複数のパラメータが、その誘導電圧信号の振幅および位相を含み、制御部は、上記複数のパラメータのうち振幅のみを現在の回転速度に換算し、換算された振幅と、記憶部に記憶されている位相とに基づいて、減少する信号成分を補償するか、あるいは、複数のパラメータのうち振幅および位相の両方を現在の回転速度における値に換算し、換算された振幅および位相に基づいて、減少する信号成分を補償することが好ましい。
【００１０】
この場合、上記振幅および位相は、基準回転速度として一定の回転速度で回転体を回転させ、Ａ相信号およびＢ相信号からそれぞれ所定の信号成分を差し引いて回転体の回転速度を算出したときに、算出された回転速度のリップルが最小になるときの所定の信号成分の振幅および位相であることが好ましい。出力信号に重畳される誘導電圧信号を直接分離することは困難であるが、このような方法により、誤差信号成分である誘導電圧信号を簡単に求めることができる。また、上記基準回転速度は、回転体に連結されたモータの瞬時最大回転速度であることが好ましく、これにより、パラメータとして、誘導電圧が最大になるときの振幅および位相を設定することができ、高い分解能で出力信号の補正を行うことができる。
【００１１】
また、本発明のロータリエンコーダは、複数の磁石と、複数の磁気センサ部と、を有していてよく、制御部は、複数の磁気センサ部からの複数のＡ相信号および複数のＢ相信号に基づいて回転体の回転位置を算出し、その際に複数の磁気センサ部のそれぞれに対して上記補正処理を実行するようになっていてもよい。この場合、複数の磁石が、回転体の周方向にＮ極とＳ極とが１極ずつ配置された第１の磁石と、前記回転体の周方向にＮ極とＳ極とが交互に複数配置された第２の磁石とを含み、複数の磁気センサ部が、第１の磁石に対応する少なくとも１つの磁気センサ部と、第２の磁石に対応する磁気センサ部とを含んでいることが好ましい。このような構成によれば、回転速度によらずに回転体の回転位置の検出精度を向上させることができる。
【００１２】
また、各感磁素子が、磁気抵抗効果素子を有していることが好ましい。これにより、１つの素子からＡ相信号およびＢ相信号を簡単に得ることができる。
【発明の効果】
【００１３】
本発明によれば、回転体の回転位置を高精度に検出するロータリエンコーダを提供することができる。
【図面の簡単な説明】
【００１４】
【図１】本発明の一実施形態に係るロータリエンコーダの構成を示す概略図である。
【図２】本実施形態のロータリエンコーダにおける回転体の絶対角度位置の検出原理を説明するための図である。
【発明を実施するための形態】
【００１５】
以下、図面を参照して、本発明の実施の形態について説明する。本発明のロータリエンコーダは、固定体に対する回転体の回転位置を検出するものである。本明細書では、本発明について、回転体に磁石が設けられ、固定体に磁気センサ部（感磁素子）が設けられているロータリエンコーダを例に挙げて説明するが、ロータリエンコーダの構成はこれに限定されるものではなく、その逆であってもよい。すなわち、本発明は、回転体に感磁素子が設けられ、固定体に磁石が設けられたロータリエンコーダにも適用可能である。
図１は、本発明の一実施形態に係るロータリエンコーダの構成を示す概略図である。図１（ａ）は、本実施形態のロータリエンコーダの概略斜視図であり、図１（ｂ）は、本実施形態のロータリエンコーダのブロック図である。
【００１６】
本実施形態のロータリエンコーダ１０は、図１（ａ）および図１（ｂ）に示すように、第１の磁石２０と、第２の磁石３０と、第１の磁気センサ部４０と、第２の磁気センサ部５０と、第３の磁気センサ部６０と、制御部７０とを有している。第１の磁石２０と第２の磁石３０は、回転軸Ｌを中心として回転する回転体（図示せず）に設けられ、回転体と共に回転可能である。第１の磁気センサ部４０と第２の磁気センサ部５０と第３の磁気センサ部６０は、固定体（図示せず）に設けられている。例えば、回転体は、モータの出力軸に連結され、固定体は、モータのフレームに固定されている。第１から第３の磁気センサ部４０，５０，６０は、それぞれ増幅回路（図示せず）を介して制御部７０に接続されている。
【００１７】
第１の磁石２０は、回転体の回転軸Ｌ上に配置され、その中心が回転軸Ｌに一致する円盤状の永久磁石（例えばボンド磁石）からなり、周方向にＮ極とＳ極とが１極ずつ配置された着磁面２１を有している。一方、第２の磁石３０は、第１の磁石２０の半径方向外側を囲うように配置され、その中心が回転軸Ｌに一致する円筒状の永久磁石（例えばボンド磁石）からなり、周方向にＮ極とＳ極とが交互に複数配置された環状の着磁面３１を有している。第２の磁石３０の着磁面３１には、回転体の半径方向に並列して配置された複数（図示した実施形態では２つ）のトラック３２ａ，３２ｂが形成されている。各トラック３２ａ，３２ｂには、それぞれＮ極とＳ極からなる合計ｎ個（ｎは２以上の整数、例えばＮ＝６４）の磁極対が形成されている。半径方向に隣接する２つのトラック３２ａ，３２ｂは、周方向にずれて配置され、本実施形態では、周方向に１極分ずれて配置されている。
【００１８】
第１の磁気センサ部４０と第２の磁気センサ部５０とは、第１の磁石２０からの磁界変化を検出するものであり、それぞれ第１の磁石２０の着磁面２１に対向して配置されている。第３の磁気センサ部６０は、第２の磁石３０からの磁界変化を検出するものであり、第２の磁石３０の着磁面３１に対向して配置されている。
【００１９】
第１の磁気センサ部４０は、それぞれが２つの磁気抵抗効果（ＭＲ）素子からなる４つの磁気抵抗パターン４１〜４４から構成された２つのセンサ（感磁素子）を備えている。具体的には、第１の磁気センサ部４０は、回転体の回転に伴って正弦波状のＡ相信号（ｓｉｎ）を出力するＡ相センサと、回転体の回転に伴ってＡ相信号と９０°の位相差を有する正弦波状のＢ相信号（ｃｏｓ）を出力するＢ相センサとを備えている。Ａ相センサは、正弦波状の＋ａ相信号（ｓｉｎ＋）を出力する磁気抵抗パターン４３と、＋ａ相信号と１８０°の位相差を有する正弦波状の−ａ相信号（ｓｉｎ−）を出力する磁気抵抗パターン４１とを有している。各磁気抵抗パターン４３，４１は、直列に接続された２つのＭＲ素子からなり、これら２つの磁気抵抗パターン４３，４１が並列に接続されてブリッジ回路を構成している。Ｂ相センサは、正弦波状の＋ｂ相信号（ｃｏｓ＋）を出力する磁気抵抗パターン４４と、＋ｂ相信号と１８０°の位相差を有する正弦波状の−ｂ相信号（ｃｏｓ−）を出力する磁気抵抗パターン４２とを有している。各磁気抵抗パターン４４，４２は、直列に接続された２つのＭＲ素子からなり、Ａ相センサと同様に、これら２つの磁気抵抗パターン４４，４２が並列に接続されてブリッジ回路を構成している。
【００２０】
第２の磁気センサ部５０は、第１のホール素子５１と、回転軸Ｌを中心として第１のホール素子５１に対して９０°離れた位置に配置された第２のホール素子５２とを有している。
【００２１】
第３の磁気センサ部６０は、それぞれが２つのＭＲ素子からなる４つの磁気抵抗パターン６１〜６４から構成された２つのセンサ（感磁素子）を備えている。具体的には、第３の磁気センサ部６０は、回転体の回転に伴って正弦波状のＡ相信号（ｓｉｎ）を出力するＡ相センサと、回転体の回転に伴ってＡ相信号と９０°の位相差を有する正弦波状のＢ相信号（ｃｏｓ）を出力するＢ相センサとを備えている。Ａ相センサは、正弦波状の＋ａ相信号（ｓｉｎ＋）を出力する磁気抵抗パターン６４と、＋ａ相信号と１８０°の位相差を有する正弦波状の−ａ相信号（ｓｉｎ−）を出力する磁気抵抗パターン６２とを有している。各磁気抵抗パターン６４，６２は、直列に接続された２つのＭＲ素子からなり、これら２つの磁気抵抗パターン６４，６２が並列に接続されてブリッジ回路を構成している。Ｂ相センサは、正弦波状の＋ｂ相信号（ｃｏｓ＋）を出力する磁気抵抗パターン６３と、＋ｂ相信号と１８０°の位相差を有する正弦波状の−ｂ相信号（ｃｏｓ−）を出力する磁気抵抗パターン６１とを有している。各磁気抵抗パターン６３，６１は、直列に接続された２つのＭＲ素子からなり、これら２つの磁気抵抗パターン６３，６１が並列に接続されてブリッジ回路を構成している。
【００２２】
制御部７０は、中央演算処理装置（ＣＰＵ）、ランダムアクセスメモリ（ＲＡＭ）、読み出し専用メモリ（ＲＯＭ）などを備えたマイクロコンピュータから構成され、第１から第３の磁気センサ部４０，５０，６０から出力される出力信号に基づいて、回転体の回転位置（絶対角度位置）を算出するものである。
【００２３】
ここで、図２を参照して、本実施形態における回転体の絶対角度位置の検出原理について説明する。図２（ａ）は、特定の基準位置からの回転体の機械角の変化に対して、第１の磁石の磁極および強度、第１の磁気センサ部からの出力信号、第１のホール素子からの出力信号、および第２のホール素子からの出力信号を示している。図２（ｂ）は、その出力信号と電気角θとの関係を示している。ここで、機械角とは、幾何学的または機械的に定められる角度を指し、電気角とは、感磁素子からの出力信号の位相から定められる角度を指す。なお、図２（ａ）では、第１および第２のホール素子からの出力信号は、コンパレータを介して得られるＨまたはＬの二値信号で示されている。
【００２４】
回転体が１回転すると、第１の磁石２０も１回転（機械角で３６０°回転）する。そのため、第１の磁気センサ部４０からは、図２（ａ）に示すように、それぞれ２周期分、すなわち電気角（出力信号の位相によって定まる角度）で７２０°分のＡ相信号（ｓｉｎ）およびＢ相信号（ｃｏｓ）が出力される。これらＡ相信号およびＢ相信号から、電気角θは、図２（ｂ）に示すように、θ＝ｔａｎ−１（ｓｉｎ／ｃｏｓ）という関係式を用いて算出される。ただし、回転体が機械角で３６０°回転する間、電気角では７２０°回転するため、電気角θが算出されただけでは、回転体の絶対角度位置を求めることができない。そこで、回転軸Ｌを中心として互いに９０°離れた位置に配置された２つのホール素子５１，５２が利用される。すなわち、２つのホール素子５１，５２から出力される出力信号から、第１の磁石２０が発生する磁界の極性が判別され、そこから、図２（ａ）の一点鎖線で示すように、機械角による回転位置が平面座標系のどの象限に位置しているのかが判別される。こうして、回転体の絶対角度位置を算出することができる。
【００２５】
一方で、第３の磁気センサ部６０からは、回転体が第２の磁石３０における１対の磁極分だけ回転する度に、図２（ａ）に示したものと同様に、それぞれ２周期分（すなわち電気角で７２０°分）のＡ相信号（ｓｉｎ）およびＢ相信号（ｃｏｓ）が出力される。したがって、第３の磁気センサ部６０から出力されるＡ相信号およびＢ相信号からも、上述した第１の磁気センサ部４０と同様の原理で、第２の磁石３０の１対の磁極に相当する角度内での回転体の絶対角度位置が算出される。第３の磁気センサ部６０による絶対角度位置の検出分解能は第１の磁気センサ部４０によるそれよりも高いため、これらを組み合わせることで、高い分解能で回転体の絶対角度位置を算出することができる。
【００２６】
本実施形態のロータリエンコーダ１０では、回転体の回転に伴う磁界変化により、配線や回路等に誘導電圧が発生し、その信号成分が感磁素子からの出力信号に重畳される。例えば、第１の磁気センサ部４０では、回転体の回転１周期に対して、同じ１周期の正弦波状の誘導電圧信号がＡ相信号およびＢ相信号にそれぞれ重畳される。また、第３の磁気センサ部６０では、周方向にｎ個（ｎは２以上の整数、例えばＮ＝６４）の磁極対が形成されているとすると、回転体の回転１周期に対して、ｎ周期と２ｎ周期の２種類の正弦波状の誘導電圧信号が重畳される。このような誘導電圧信号は、回転体の回転位置に換算すると周期的な成分となって現れる。すなわち、誘電電圧信号を含む出力信号に基づいて算出された回転角度を実際の回転角度に対してプロットすると、理想的な直線に対して周期的なうねりとなって現れる。なお、この周期は、第１の磁気センサ部４０では、回転体の回転１周期に対して１倍と３倍の周期であり、第３の磁気センサ部６０では、周方向にｎ個（ｎは２以上の整数、例えばＮ＝６４）の磁極対が形成されているとすると、ｎ倍と３ｎ倍と４ｎ倍の周期であることが、本発明者らによって確認されている。誘導電圧信号は、回転体の回転速度が速くなると、それに比例して、ほぼ同じ位相のまま振幅が大きくなって出力信号に重畳されるため、上述のような検出誤差は、回転体の回転速度の増加に伴って増加することになる。
【００２７】
そこで、本実施形態では、回転体の回転速度によらず安定した検出精度を維持するために、制御部７０が、回転速度に比例して各磁気センサ部４０，５０，６０からの出力信号に重畳される上述の誘導電圧信号による誤差を補正する機能を有している。具体的には、制御部７０は、各磁気センサ部４０，５０，６０からの出力信号に対して、基準回転速度時の誘導電圧信号（誤差信号成分）に関するパラメータを記憶しており、基準回転速度と現在の回転速度との比率に基づいて、そのパラメータを現在の回転速度における値に換算し、換算された値に基づいて出力信号を補正する。こうして、回転速度に比例する誘導電圧信号の成分を差し引くことで、回転速度によらないほぼ一定の出力信号を得ることができ、高い検出精度を維持することができる。
【００２８】
以下では、再び図１（ｂ）を参照しながら、主にこの補正処理に関する機能に着目して、制御部７０の機能的な構成について説明する。
【００２９】
制御部７０は、Ａ／Ｄ変換部（ＡＤＣ）７１と、角度算出部７２と、補正処理部７３とを有し、補正処理部７３は、記憶部７４と、通信周期計測部７５と、回転速度算出部７６とを有している。
【００３０】
ＡＤＣ７１は、第１から第３の磁気センサ部４０，５０，６０から出力されたアナログ信号をデジタル信号に変換して角度算出部７２および補正処理部７３へ出力する。角度算出部７２は、ＡＤＣ７１でデジタル変換された第１から第３の磁気センサ部４０，５０，６０からの出力信号に基づいて、上述した回転体の回転位置を算出する。このとき、角度算出部７２は、補正処理部７３から、第１から第３の磁気センサ部４０，５０，６０の各出力信号に重畳される誘導電圧信号を打ち消すための補正情報を取得する。そして、角度算出部７２は、取得した補正情報に基づいて上記出力信号を補正し、上述の算出方法により、補正された出力信号を用いて回転体の回転位置を算出する。
【００３１】
補正処理部７３は、記憶部７４に記憶されている基準回転速度時の誘導電圧信号（誤差信号成分）に関するパラメータを、基準回転速度と回転速度算出部７６によって算出された現在の回転速度との比率に基づいて、現在の回転速度における値に換算する。
【００３２】
記憶部７４は、基準回転速度時の誘導電圧信号（誤差信号成分）に関するパラメータ、具体的には、その誘導電圧信号の振幅および位相を記憶する。ここで、誘導電圧信号の振幅は、回転速度に伴って変化するが、位相は、回転速度によらずほぼ一定である。したがって、補正処理を行う際に、記憶部７４に記憶されている基準回転速度時の位相は、そのまま角度算出部７２に送られるが、振幅は、補正処理部７３で現在の回転速度での振幅に換算された後、角度算出部７２へと送られる。そして、角度算出部７２では、補正処理部７３で換算された振幅と記憶部７４から送られる位相から誘導電圧信号を打ち消すための補正信号が生成され、これが差し引かれることで出力信号が補正される。なお、誘導電圧信号の位相については、回転速度によらずほぼ一定であるとして、記憶部７４に記憶されている値をそのまま角度算出部７２に送っているが、回転速度に伴って変化するものとして振幅と同様に扱ってもよい。
【００３３】
通信周期計測部７５は、ロータリエンコーダ１０の外部にある上位の制御装置（図示せず）と制御部７０との通信周期を計測する。例えば、制御部７０は、上位の制御装置からの要求信号を受信したときに回転体の回転速度を算出するようになっているが、通信周期計測部７５は、制御部７０が要求信号を受信した時刻を計測し、その時刻から要求信号の受信間隔を計測する。
【００３４】
回転速度算出部７６は、こうして通信周期計測部７５が計測した受信間隔と、角度算出部７２から取得した回転体の回転位置の情報とに基づいて、所定の時間間隔における回転体の回転変位量を算出し、そこから回転体の現在の回転速度を算出する。なお、制御部７０が上位の制御装置から要求信号を受信する周期は予め設定されているため、演算処理を簡単にするために、特許文献１に記載されているように、この設定値を用いて回転速度を算出することもできる。しかしながら、実際の通信周期が変動した場合には正確な回転速度を算出することが困難になり、結果的に補正精度を維持することが困難になる。これに対し、本実施形態では、制御部７０が実際に回転位置の算出を行う周期を計測しているため、正確な回転速度を算出することができ、その結果、補正処理部７３による補正精度を向上させることができる。
【００３５】
記憶部７４に記憶されるパラメータの設定は、ロータリエンコーダ１０が工場から出荷される前に、以下のように行われる。まず、回転体に連結されたモータを一定の回転速度で回転させる。ここで、回転速度が一定であるため、出力信号が理想的なものでなく誤差を含んでいると、そこから算出される回転体の回転速度にはリップルは現れるが、誤差のない理想的な出力信号であればリップルが現れることはない。そこで、誘導電圧信号が重畳されたＡ相信号およびＢ相信号からそれぞれ所定の信号成分を差し引いたものから回転体の回転速度を算出する。そして、誘導電圧信号を打ち消すように所定の信号成分の振幅および位相を最適な値に調整して、算出される回転速度のリップルを最小にする。このときの振幅および位相がパラメータとして設定される。出力信号に重畳される誘導電圧信号を直接分離することは困難であるが、このような方法により、誤差信号成分である誘導電圧信号を簡単に求めることができる。なお、所定の信号成分を差し引く代わりに、出力されるＡ相信号およびＢ相信号のそれぞれに所定の信号成分を重畳させ、算出される回転速度のリップルが最小になるときの信号成分を位相反転させたものをパラメータとして設定することもできる。
【００３６】
なお、上述したように、回転体の回転位置を算出したときにも周期的な誤差成分が現れるため、この誤差成分を最小にするように所定の信号成分の振幅および位相を調整することもできる。ただし、この演算処理は複雑になり、さらに、誤差成分の周波数が高くなると、エイリアシングを抑制するために非常に高いサンプリング周波数が必要になり、サンプリング点数が膨大になってしまうことがある。そのため、実際には、回転速度を算出する方法を用いてパラメータを設定することが好ましい。また、パラメータを設定する際のモータの回転速度は、瞬時最大回転速度（例えば６０００ｒｐｍ）であることが好ましい。これにより、パラメータとして、誘導電圧が最大になるときの振幅および位相を設定することができ、高い分解能で出力信号の補正を行うことができる。
【符号の説明】
【００３７】
１０  ロータリエンコーダ
２０  第１の磁石
２１  着磁面
３０  第２の磁石
３１  着磁面
３２ａ，３２ｂ  トラック
４０  第１の磁気センサ部
４１〜４４  磁気抵抗パターン
５０  第２の磁気センサ部
５１  第１のホール素子
５２  第２のホール素子
６０  第３の磁気センサ部
６１〜６４  磁気抵抗パターン
７０  制御部
７１  ＡＤＣ
７２  角度算出部
７３  補正処理部
７４  記憶部
７５  通信周期計測部
７６  回転速度算出部
【図１】
2018132357.tif 000003
【図２】
2018132357.tif 000004